(57)【要約】      （修正有）【課題】室内でペット飼育時に、ペットの運動不足や捕食本能を満たしにくいことが病気や異常行動につながることが問題となる。外部動力を必要とせず、半自動で作動する安価なペット用の玩具件給餌器の提供。【解決手段】カプセルのロック凸部の横にクリップ２を設置し、クリップ２の紐用穴に紐５を結び、ストッパー３の紐用穴に通してから、カプセル上部の空気穴から出しておく。ストッパー３をロック装置１の磁石の間に入れてカプセルとロック装置１を一体にする。磁性体の上にロック装置１を置くことで、カプセルが固定され、紐５を引くことによりストッパー３が抜ける状態になり、ストッパー３が抜けることににより、カプセルが開口する。【選択図】図１
2019050794.tif 000002
【特許請求の範囲】
【請求項１】
紐５を通すことができる紐用穴３−１と何かに挟まった状態で引いても容易に外れないようにするための返し部３−２と、紐用穴３−１と返し部３−２を結ぶ長細い胴体３−３を備えた、曲げに強く収縮しないプラスチックなどの素材のストッパー３と、前記ストッパー３を二つの磁石４によって固定するためのストッパーロック部１−３とストッパー用溝１−４と、ノンセパレートタイプのカプセルトイのカプセル（以下「カプセル」と称す）の空気穴に通して離れないようにするための引っかけ部１−１と、磁性体にくっついた磁石４を外すための磁石剥がし用ツメ１−５と、２枚の磁石４を互いの吸引力により装置に安定的に固定するための表裏一カ所づつに設けられた磁石入れであり、裏側が鉄板などの磁性体に接したときに、磁石４（裏側）が吸引されて動くことができる適度な深さとサイズに余裕があり、かつ磁石４（裏側）が磁性体に吸引された状態においても二つの磁石４の吸引力を保持し、容易に外れない距離を保つことができる磁石入れ１−２を備えたロック装置１と、カプセルのロック部凸の横に設置してもカプセル自体のロックを妨げないよう薄く作られ、紐用穴２−１に通した紐５が下部に引かれた場合には挟込み溝２−２により動かず、上部に引かれたときには、カプセルのロックを押し上げて外す役割を果たす、カプセルのロック形状に応じて大きさ・配置する長さが異なる突起部２−３と、カプセルのロックが外れた後、紐５が上部に引き上げられたときに、カプセルの上部空気穴で詰まり、カプセル上半分を展開する役割を果たす出っ張り部２−４を備えたクリップ２と、クリップ２の紐用穴２−１に結び、ストッパー３の紐用穴３−１を通してからカプセルの上部空気穴を通過させカプセルの外に出しておくことで、ペットがくわえたり、ツメなどで引っ張ったり、またはペット用玩具などを取り付けることができる太めの紐５からなる。
前記のような機構を備えた部品と量販されている安価なノンセパレートタイプのトイカプセルのカプセルを組み合すことで成り立つペット用玩具兼半自動給餌装置。
【請求項２】
磁石２−５の埋め込みを可能としたクリップ２とノンセパレートタイプのトイカプセルのカプセルのロック部凸の横に挟み込むように設置してもカプセルのロックを妨げないほど薄く、引きに強い一定の柔軟性を持ったプラスチックなどの素材からなるクリップ２であり、カプセルのクリップ２の設置側の空気穴に出しておき、クリップ２の紐用穴２−１と結ばれた紐５と、カプセルの空気穴から抜けださないように設けられた出っ張り部２−４と、カプセルのロック部凹を持ち上げカプセルのロックを解除する役割を果たす突起部１−３からなる。
前記のような機構を備えた部品と量販されている安価なノンセパレートタイプのトイカプセルのカプセルを組み合すことで成り立つペット用玩具兼半自動給餌装置。
【発明の詳細な説明】
【技術分野】
【０００１】
本発明は、外部動力を必要とせず、特定の条件下においてのみ給餌対象の動物によって半自動で作動する安価で提供可能なペット用の玩具兼給餌器に関するものである。
【背景技術】
【０００２】
ペットを運動させるための従来の玩具の内、餌を内包でき、ペットが動かすことで餌が放出される玩具では、不特定の場所で餌を排出し、餌を内包しない玩具ではペットが飽きやすく、据置型の自動給餌器はペットを運動させる機能がない、または弱い。
【先行技術文献】
【特許文献】
【０００３】
特許文献１  特願２０１７−１３５９２４
【発明の概要】
【発明が解決しようとする課題】
【０００４】
室内飼いのペットが増えている中、ペットの運動不足や狩猟本能を満たすことができないことからくる欲求不満などにより、病気や問題行動につながるとされているが、従来のペット用玩具の内、餌を内包しないものでは、ペットのモチベーション維持が困難であることが多く、餌を内包できるものでは、餌を不特定の場所に放出し室内の衛生状態を悪化させる問題があり、据置型の自動給餌器などでペットを遊ばせる機能がついたものでは、運動不足を解消させる目的では不十分であり、かつ高額になる傾向があった。
【０００５】
先行技術では、前段落０００４の問題は解消されているものの、ペット自らが餌を探し出すことで狩猟本能を満たせるよう、各所に隠しておくようにするためには複数台必要となり、複数購入しても安価かつ、製造や廃棄においての環境負荷を最低限に抑えるため、本発明では既に大量に製造販売され、不要となったカプセルトイで使用されているノンセパレートタイプのカプセルを再利用することで問題を解決した。
【０００６】
先の出願（出願番号：特願２０１７−１７６２８１）において、ペットが本発明のロックを解き、カプセルを展開するためには一定の力を要し、磁石を固定する側には一定以上の重さの鉄板なども必要になり、また小型かつ幼いまたは高齢ペットなど力が弱い個体では展開が難しいケースがあった。
【課題を解決するための手段】
【０００７】
紐５を通すことができる紐用穴３−１と何かに挟まった状態で引いても容易に外れないようにするための返し部３−２と、紐用穴３−１と返し部３−２を結ぶ長細い胴体３−３を備えた、曲げに強く収縮しないプラスチックなどの素材のストッパー３と、前記ストッパー３を二つの磁石４によって固定するためのストッパーロック部１−３とストッパー用溝１−４と、ノンセパレートタイプのカプセルトイのカプセル（以下「カプセル」と称す）の空気穴に通して離れないようにするための引っかけ部１−１と、磁性体にくっついた磁石４を外すための磁石剥がし用ツメ１−５と、２枚の磁石４を互いの吸引力により装置に安定的に固定するための表裏一カ所づつに設けられた磁石入れであり、裏側が鉄板などの磁性体に接したときに、磁石４（裏側）が吸引されて動くことができる適度な深さとサイズに余裕があり、かつ磁石４（裏側）が磁性体に吸引された状態においても二つの磁石４の吸引力を保持し、容易に外れない距離を保つことができる磁石入れ１−２を備えたロック装置１と、カプセルのロック部凸の横に設置してもカプセル自体のロックを妨げないよう薄く作られ、紐用穴２−１に通した紐５が下部に引かれた場合には挟込み溝２−２により動かず、上部に引かれたときには、カプセルのロックを押し上げて外す役割を果たす、カプセルのロック形状に応じて大きさ・配置する長さが異なる突起部２−３と、カプセルのロックが外れた後、紐５が上部に引き上げられたときに、カプセルの上部空気穴で詰まり、カプセル上半分を展開する役割を果たす出っ張り部２−４を備えたクリップ２と、クリップ２の紐用穴２−１に結び、ストッパー３の紐用穴３−１を通してからカプセルの上部空気穴を通過させカプセルの外に出しておくことで、ペットがくわえたり、ツメなどで引っ張ったり、またはペット用玩具などを取り付けることができる太めの紐５からなる。
前記のような機構を備えた部品と量販されている安価なノンセパレートタイプのトイカプセルのカプセルを組み合すことで成り立つペット用玩具兼半自動給餌装置。
【０００８】
磁石２−５の埋め込みを可能としたクリップ２とノンセパレートタイプのトイカプセルのカプセルのロック部凸の横に挟み込むように設置してもカプセルのロックを妨げないほど薄く、引きに強い一定の柔軟性を持ったプラスチックなどの素材からなるクリップ２であり、カプセルのクリップ２の設置側の空気穴に出しておき、クリップ２の紐用穴２−１と結ばれた紐５と、カプセルの空気穴から抜けださないように設けられた出っ張り部２−４と、カプセルのロック部凹を持ち上げカプセルのロックを解除する役割を果たす突起部１−３からなる。
前記のような機構を備えた部品と量販されている安価なノンセパレートタイプのトイカプセルのカプセルを組み合すことで成り立つペット用玩具兼半自動給餌装置。
【発明の効果】
【０００９】
ペットのモチベーションを維持するため、餌を利用しつつも、不特定の場所に餌をまき散らすことなく、また外部動力を必要とせず半自動で特定の場所でのみ作動し、作動後は餌皿の変わりになるため衛生面にも優れ、かつ小型、丈夫で容易に持ち運びもでき、屋内はもちろん屋外でも使用ができる。
【００１０】
複数の個所に設置した本発明をペットが匂いや音を頼りに探し出すことで、単数設置より狩猟本能を満たすことができるようになるため、複数でも安価で提供が不可欠であった。そのため既に量産されて廃棄またはリサイクルされる前のカプセルを再利用（リユース）することで解決し、製造においての環境負荷を最低限に抑えることを可能とした。
【００１１】
先の出願（出願番号：特願２０１７−１７６２８１）から追加された技術により、より軽い力、軽いステンレス製など鉄製のお皿上で本発明を展開できるようなった。
【図面の簡単な説明】
【００１２】
【図１】本体及び全体の立体図
【図２】ロック装置１の立体図（表裏）
【図３】クリップ２の立体図
【図４】ストッパー３の立体図
【図５】追加方法に基づく本体及び全体の立体図
【図６】追加方法に基づくクリップ２の立体図
【発明を実施するための形態】
【００１３】
以下、本発明の実施の形態を図１〜４に基づいて説明する。
【００１４】
餌を入れたカプセルのロック部凸横に適合するクリップ２を設置、クリップ２の紐用穴２−１に紐５を結び、紐５は、ストッパー３の紐用穴３−１に通してから、カプセル上部の空気穴からペットが容易に噛んだり引っかけたりできるようにして出しておき、次にストッパー３の返し部３−２がロック装置１のストッパー用溝１−４に沿って、ストッパーロック部１−３外側に出るように置き、磁石４を磁石入れ１−２の表裏２カ所に入れてストッパー３がロックされた状態にし、ロック装置１の引っかけ部１−１の２カ所をカプセルの下部空気穴にそれぞれ入れ、カプセルとロック装置１が離れないようにし、カプセルを隠したり、または屋外など広い場所ではペットの目前で投げてペットの運動を促す。
【００１５】
ペットが運んできた本発明を給餌可能場所として予め設置しておいた鉄板などの磁性体に置くと、ロック装置１の裏側の磁石４が鉄板に吸引されストッパーロック部１−３のロックが解かれてストッパー３を抜くことができる状態になり、かつ上下二つの磁石４の磁力により、鉄板とロック装置が吸引・固定された状態になり、カプセル上部の空気穴から出た紐５をペットが引くことで、ストッパー３ごとクリップ２が引かれてカプセルのロックを解除し、カプセル上部の空気穴でクリップ２の出っ張り部２−４が詰まって引き上げられることで、カプセル上部を押し上げカプセルが展開、給餌可能な状態になる。
【００１６】
先の出願（出願番号：特願２０１７−１７６２８１）から追加された技術では、給餌可能場所として予め設置しておいたステンレス皿などの磁性体にペットが本発明を持ち込むことで、クリップ２の磁石２−５が磁性体に吸着し、その状態で紐５を軽く引くと、クリップ２が外側に歪むと同時にカプセルのロック部凹も外側に反れてロックが解除され展開し、給餌可能な状態になる。
【符号の説明】
【００１７】
１         ロック装置
１−１   引っかけ部
１−２   磁石入れ（表側・裏側）
１−３   ストッパーロック部
１−４   ストッパー用溝
１−５  磁石剥がし用ツメ
２          クリップ
２−１   紐用穴
２−２  挟込み溝
２−３  突起部  
２−４  出っ張り部  
２−５  磁石
３      ストッパー
３−１  紐用穴
３−２  返し部
３−３  胴体
４      磁石
５      紐
【図１】
2019050794.tif 000003
【図２】
2019050794.tif 000004
【図３】
2019050794.tif 000005
【図４】
2019050794.tif 000006
【図５】
2019050794.tif 000007
【図６】
2019050794.tif 000008